(57)【要約】【課題】ユーザーが違和感を抱くことなく、断線と天絡とを良好に判定する。【解決手段】ＩＰＤ２０と、プルアップ回路３０と、ＬＥＤ５０の点灯時にＩＰＤ２０のパワーＭＯＳＦＥＴ２０１をＬＥＤ５０の照度調整のためにＰＷＭ制御し、且つ、パワーＭＯＳＦＥＴ２０１のオフ時間帯にこのオフ時間より短い時間でプルアップ回路３０のトランジスタ３０１をオンするように制御する点灯制御手段４０１と、ＬＥＤ５０の点灯時において、パワーＭＯＳＦＥＴ２０１がオフで且つトランジスタ３０１がオンのときに異常検出部２０２の出力が異常検知レベルの信号であるとき断線有りと判定し、パワーＭＯＳＦＥＴ２０１がオフで且つトランジスタ３０１もオフのときに異常検出部２０２の出力が異常検知レベルの信号であるときに天絡有りと判定する判定手段４０２とを備えた。【選択図】図１
2014216765.tif 000002
【特許請求の範囲】
【請求項１】
電源と、ＬＥＤ（５０）が接続される負荷接続端子（１０ａ）との間に駆動用スイッチング素子（２０１）を備えると共に、前記駆動用スイッチング素子（２０１）から前記負荷接続端子（１０ａ）に流れる電流のレベルに応じた信号を出力し天絡などの異常の発生時には異常検知レベルの信号を出力することが可能な異常検出部（２０２）を備えたＬＥＤ駆動回路（２０）と、
前記電源と前記負荷接続端子（１０ａ）との間にプルアップ用スイッチング素子（３０１）とプルアップ抵抗（３０２）とを接続したプルアップ回路（３０）と、
前記ＬＥＤ（５０）の点灯及び非点灯を制御する手段であって、前記ＬＥＤ（５０）の点灯時に前記駆動用スイッチング素子（２０１）を前記ＬＥＤ（５０）の照度調整のためにＰＷＭ制御し、且つ、前記駆動用スイッチング素子（２０１）のオフ時間帯にこのオフ時間より短い時間で前記プルアップ用スイッチング素子（３０１）をオンするように制御する点灯制御手段（４０１）と、
前記異常検出部（２０２）からの出力が与えられ、前記ＬＥＤ（５０）の点灯時において、前記駆動用スイッチング素子（２０１）がオフで且つ前記プルアップ用スイッチング素子（３０１）がオンのときに前記異常検出部（２０２）の出力が前記異常検知レベルの信号であるとき断線有りと判定し、前記駆動用スイッチング素子（２０１）がオフで且つ前記プルアップ用スイッチング素子（３０１）もオフのときに前記異常検出部（２０２）の出力が前記異常検知レベルの信号であるときに天絡有りと判定する判定手段（４０２）と
を備えたＬＥＤ異常検出装置。
【請求項２】
前記判定手段（４０２）は、さらに、駆動用スイッチング素子（２０１）がオンであって前記異常検出部（２０２）の出力が前記異常検知レベルの信号であるときに過負荷状態であることを判定する請求項１記載のＬＥＤ異常検出装置。
【請求項３】
前記点灯制御手段（４０１）は、前記駆動用スイッチング素子（２０１）のオフタイミングとほぼ同じタイミングで前記プルアップ用スイッチング素子（３０１）をオンする請求項１又は２記載のＬＥＤ異常検出装置。
【請求項４】
前記ＬＥＤ駆動回路（２０）は、インテリジェントパワーデバイスから構成されている請求項１から３のいずれか一項記載のＬＥＤ異常検出装置。
【発明の詳細な説明】
【技術分野】
【０００１】
本発明は、車両のヘッドライトなどに用いられるＬＥＤ（発光ダイオード）の断線などの異常を検出するＬＥＤ異常検出装置に関する。
【背景技術】
【０００２】
上記ＬＥＤの断線を検出するＬＥＤ異常検出装置としては、特許文献１に記載の技術がある。この特許文献１では、ＬＥＤを点灯させない程度のパルス幅でＬＥＤに電流を流し、断線の有無を検出するようにしている。
【先行技術文献】
【特許文献】
【０００３】
【特許文献１】特開２０１０−１０５５９号公報
【発明の概要】
【発明が解決しようとする課題】
【０００４】
上記ＬＥＤ異常検出装置では、ＬＥＤを点灯させない程度のパルス幅で電流を流し、当該ＬＥＤに流れる電流をコンデンサにチャージさせて当該コンデンサの電位を検出することで電流値を検出し、この検出電流値に基づいて断線を検出制御するとしている。しかし、例えば２００Ｈｚの周波数でパルス幅２５０μｓ（デューティー比５％）としても、ＬＥＤが点灯してしまうことは明らかである。このときの明るさはヘッドライトとしての実用的な明るさではなく、非常に弱いものであるため、ユーザーが違和感を抱いてしまう。つまり、断線の有無を判定する制御を行う場合に、ユーザーが点灯を予期していないにも関わらず不自然に点灯する不具合がある。これを改善するため、パルス幅をさらに短くすると、前記コンデンサのチャージ時間が十分でなく、電流値の検出がうまくできずに、断線判定ができなくなるなどの不具合が発生する。
【０００５】
一方、最近においては、車両のヘッドライトなど、車室内外の照明灯である各ＬＥＤを駆動する駆動回路として、インテリジェントパワーディバイス（ＩＰＤ）を用いることが行われている。このＩＰＤでは負荷電流に応じた電流を出力すると共に、ショートや、オーバーロード発生時には異常検知レベルの信号を出力する異常検出部を備えており、その出力を判定することでショート（天絡）の他、断線の有無を判定することを検討している。
【０００６】
図５に、参考例として、ＩＰＤを備えたＬＥＤ異常検出装置１を示す。ＬＥＤ異常検出装置１は、ＥＣＵから構成されており、ＩＰＤ２とＭＰＵ３を備えている。又、このＬＥＤ異常検出装置１は、負荷接続端子１ａを備えており、この負荷接続端子１ａとグランドとの間にＬＥＤ４が接続される。
【０００７】
ＩＰＤ２は、電源Ｖと負荷接続端子１ａとの間にＮ型のパワーＭＯＳＦＥＴ２１を接続している。又、このＩＰＤ２は異常検出部２２を備えている。この異常検出部２２は、通常のＬＥＤ点灯時は負荷電流に応じた電流を出力していると共に、天絡（ショート）や、オーバーロードなどが発生した場合は異常検知レベル（「Ｈ」レベル）の信号を出力する。なお、図６には、異常検出部２２の出力信号Ｃについて、この異常検知レベルの電圧のみを「Ｈ」レベルとして示している。
【０００８】
ＭＰＵ３は、入力端子３ａに前記信号Ｃを入力する。このＭＰＵ３は、この入力端子３ａに入力される信号Ｃの電圧が前記異常検知レベルの電圧（「Ｈ」レベル）か否かを判定する。なお、前記正常相当電圧は当該異常検知レベルの電圧よりは「Ｌ」レベルとして判断する。
このＭＰＵ３は、出力端子３ｂからパワーＭＯＳＦＥＴ２１のゲートにアンプ２３を介してゲート信号Ｂ（「Ｈ」でオン、「Ｌ」でオフ）を出力する。この場合、ＭＰＵ３は、ＬＥＤ４の点灯時に、ＬＥＤ４を照度調整のため、パワーＭＯＳＦＥＴ２１をＰＷＭ制御することができる。
【０００９】
パワーＭＯＳＦＥＴ２１のＰＷＭ制御時におけるオフ期間に、ＩＰＤ２の異常検出部２２からの信号Ｃに基づいてＬＥＤ４への通電路の断線の有無と、当該通電路の天絡の有無とをＭＰＵ３により判定することを考察すると次のようになる。
ＭＰＵ３は、ＰＷＭ制御の目標デューテュー比を図６に示すようにＴ２／Ｔ１とした場合、ゲート信号Ｂを、上記目標デューテュー比で「Ｈ」レベル、「Ｌ」レベルに交互に変化させる。このゲート信号Ｂが「Ｌ」（パワーＭＯＳＦＥＴ２１オフ）のときに断線、天絡の判定をする。
【００１０】
断線及び天絡が発生していない正常状態では、図４に示すように、ゲート信号Ｂが「Ｈ」のとき前記電流ＩｉはＩｌｏａｄ（Ｃａｓｅ２）となり、信号Ｃは異常検知レベルである「Ｈ」レベルとはならない。ゲート信号Ｂが「Ｌ」のときには、前記電流Ｉｉは０であり（Ｃａｓｅ１）、信号Ｃは「Ｌ」レベルである。
次に天絡の発生時には、ゲート信号Ｂが「Ｌ」、「Ｈ」のいずれでも電位Ｄが明確に「Ｈ」で、電流Ｉｉも０（Ｃａｓｅ４）となるため、信号Ｃは「Ｈ」（異常検知レベルの電圧信号、図６の符号Ｄａ部分）となる。
【００１１】
断線の発生時には、ゲート信号Ｂが「Ｌ」のとき、電位Ｄが不定であるため、Ｉｉも不定であり、信号Ｃも不定で明確に「Ｈ」とはならない。
従って、判定可能期間ｔｈで天絡、断線の有無を判定した場合、天絡が発生していれば、信号Ｃが「Ｈ」となることで天絡を判定できるが、断線が発生していても、断線の発生を判定できない。上述のようにパワーＭＯＳＦＥＴ２１のオフ期間で天絡や断線の有無を判定する構成は、ＬＥＤ４が不要に点灯することはなく、ユーザーが違和感を抱くことはないが、天絡、断線の有無の判定信頼性が低いという不具合がある。
【００１２】
本発明は上述の事情に鑑みてなされたものであり、その目的は、ユーザーが違和感を抱くことなく、断線と天絡とを良好に判定できるＬＥＤ異常検出装置を提供することにある。
【課題を解決するための手段】
【００１３】
請求項１の発明において、駆動用スイッチング素子がオフであるときに、断線が発生していない状況で、プルアップ回路のプルアップ用スイッチング素子をオンすると、このプルアップ回路のプルアップ抵抗に応じた小電流がＬＥＤ側へ流れるのみで、異常検出部は異常検知レベルより低い電圧レベルの信号を出力する。
【００１４】
次に、駆動用スイッチング素子がオフであるときに、断線が発生している状況で、プルアップ回路のプルアップ用スイッチング素子をオンすると、負荷接続端子の電位が浮いて不定となるが、この不定電圧にプルアップ電圧が重畳され、当該負荷接続端子の電位が上昇し、異常検出部が異常検知レベルの信号を出力する。この結果、判定手段は、駆動用スイッチング素子がオフで且つ前記プルアップ用スイッチング素子がオン、及び異常検出部の出力が前記異常検知レベルの信号といった条件を満足するため、断線有りと判定する。
【００１５】
一方、駆動用スイッチング素子がオフであって、プルアップ回路のプルアップ用スイッチング素子もオフであるときに、天絡が発生していない状況であるとすると、異常検知レベルより低いレベルの信号を出力する。
次に、駆動用スイッチング素子がオフであって、プルアップ回路のプルアップ用スイッチング素子もオフであるときに、天絡が発生していると状況であるとすると、負荷接続端子が「Ｈ」レベルであるため、異常検出部は異常検知レベルの信号を出力する。この結果、判定手段は、駆動用スイッチング素子がオフで且つ前記プルアップ用スイッチング素子もオフで異常検出部の出力が前記異常検知レベルの信号であるといった条件を満足するため、天絡有りと判定する。
【００１６】
このように請求項１の発明によれば、プルアップ回路を設けて、駆動用スイッチング素子のオフ時に、当該プルアップ回路のプルアップ用スイッチング素子をオンさせることで、断線が発生している場合に確実に当該断線有りを判定することができる。そして、天絡も確実に判定できる。さらに、本来の照明などのためにＬＥＤを点灯させるときに、断線及び天絡の有無の判定を行うから、断線が無い場合にプルアップ回路によってＬＥＤが点灯されたとしてももともとＬＥＤによる照明時であるから、ユーザーが違和感を抱くことはない。
【図面の簡単な説明】
【００１７】
【図１】本発明の一実施形態を示すＬＥＤ異常検出装置の回路図
【図２】各部の状態を示す波形図
【図３】判定手段の制御内容を示すフローチャート
【図４】一実施形態と参考例とで使用する、各部の状態と検出電流と正常・異常状況との関連を示す図
【図５】参考例を示すＬＥＤ異常検出装置の回路図
【図６】各部の状態を示す波形図
【図７】別の参考例を示し、各部の状態を示す波形図
【発明を実施するための形態】
【００１８】
以下、本発明の一実施形態について図１〜図４を参照して説明する。図１において、ＬＥＤ異常検出装置１０は、例えば車両のヘッドライト用のＬＥＤに適用しているが、その他の車外灯や車内灯のＬＥＤに適用しても良い。このＬＥＤ異常検出装置１０は、ＥＣＵから構成されており、インテリジェントパワーデバイス（以下ＩＰＤという）２０と、プルアップ回路３０と、マイクロプロセッサユニット（以下ＭＰＵという）４０とを備え、さらに負荷接続端子１０ａを備えている。ＩＰＤ２０はＬＥＤ駆動回路に相当する。このＩＰＤ２０は、駆動用スイッチング素子としてＮ型のパワーＭＯＳＦＥＴ２０１を備え、さらに異常検出部２０２を備えている。前記負荷接続端子１０ａとグランドとの間に、抵抗５０１を介してＬＥＤ５０を接続している。
【００１９】
前記パワーＭＯＳＦＥＴ２０１のドレインは電源Ｖに接続され、ソースは負荷接続端子１０ａに接続されている。つまりパワーＭＯＳＦＥＴ２０１は、電源Ｖと負荷接続端子１０ａとの間に接続されている。このパワーＭＯＳＦＥＴ２０１のゲートはアンプ２０３を介してＭＰＵ４０の出力端子４０ａに接続されており、この出力端子４０ａからのゲート信号Ｂが「Ｈ」のときにこのパワーＭＯＳＦＥＴ２０１がオンされる。
【００２０】
前記異常検出部２０２は、通常は負荷電流（Ｉｌｏａｄ）に応じた電流を出力すると共に、負荷接続端子１０ａ側の天絡（ショート）や、オーバーロードなどの場合は異常検知レベルの信号（「Ｈ」レベル）を出力する（信号Ｃ）。
断線及び天絡が発生していない正常状態では、図４を参照して既述したように、ゲート信号Ｂが「Ｈ」のとき前記パワーＭＯＳＦＥＴ２０１を通って負荷側へ流れる電流ＩｉはＩｌｏａｄ（Ｃａｓｅ２）となり、信号Ｃは異常検知レベルである「Ｈ」レベルとはならない。ゲート信号Ｂが「Ｌ」のときには、前記電流Ｉｉは０であり（Ｃａｓｅ１）、信号Ｃは「Ｌ」レベルである。
【００２１】
次に天絡の発生時には、ゲート信号Ｂが「Ｌ」、「Ｈ」のいずれでも電位Ｄが明確に「Ｈ」で、且つ電流Ｉｉも０（Ｃａｓｅ３、４）となるため、信号Ｃは「Ｈ」（異常検知レベルの電圧）となる。
断線の発生時には、ゲート信号Ｂが「Ｌ」レベルのとき、電位Ｄが不定であるため、Ｉｉも不定であり、信号Ｃも不定で「Ｈ」レベルとはならない。この信号ＣはＭＰＵ４０の入力端子４０ｃに与えられる。
【００２２】
前記プルアップ回路３０は、前記電源Ｖと負荷接続端子１０ａとの間にプルアップ用スイッチング素子であるＮＰＮ型のトランジスタ３０１と抵抗３０２とをその順に接続して構成されている。トランジスタ３０１のベースはトランジスタ３０４を備えたベース駆動回路３０３を介してＭＰＵ４０の出力端子４０ｂに接続されている。ＭＰＵ４０が出力端子４０ｂから出力する信号Ａが「Ｈ」レベルのときにトランジスタ３０１がオンされる。又、負荷接続端子１０ａとグランドとの間にはサージ吸収用のコンデンサ１０ｂが接続されている。
【００２３】
このＭＰＵ４０は、ソフトウエア構成により、点灯制御手段４０１及び判定手段４０２として機能する。
このＭＰＵ４０には、ユーザーの点灯操作や、周囲環境の暗さ自動検出に基づく点灯指令Ｓｏｎ（ヘッドライト点灯指令）と、消灯指令Ｓｏｆｆ（ヘッドライト消灯指令）が与えられる。
【００２４】
前記ＭＰＵ４０に前記点灯指令Ｓｏｎが与えられると、点灯制御手段４０１が次の制御を行う。点灯制御手段４０１は、出力端子４０ａから前記ＩＰＤ２０のアンプ２０３を介してパワーＭＯＳＦＥＴ２０１のゲート信号Ｂとして「Ｈ」レベル（オン信号）と「Ｌ」レベル（オフ信号）とを交互に出力する。この場合のデューテュー比は図２に示すようにｔ１／ｔ３である。この結果、パワーＭＯＳＦＥＴ２０１が所定のデューティー比でＰＷＭ制御され、ＬＥＤ５０がパルス点灯される。なお、この場合、パワーＭＯＳＦＥＴ２０１に流れる電流Ｉｉとしては、断線及び天絡がない場合つまり正常時には負荷に応じた電流Ｉｌｏａｄが流れる。
【００２５】
さらに点灯制御手段４０１は、パワーＭＯＳＦＥＴ２０１のオフ時間帯にこのオフ時間より短い時間（時間ｔ２）で、出力端子４０ｂからトランジスタ３０１を間欠的にオンするように制御する。すなわち、点灯制御手段４１は、出力端子４０ｂからプルアップ回路３０のトランジスタ３０４のベース信号Ａとして「Ｈ」レベルと「Ｌ」レベルを交互に出力する。この場合のデューテュー比はｔ２／ｔ３である。又、このベース信号Ａの「Ｈ」レベル（オン信号）は、前記ゲート信号Ｂの「Ｈ」レベル（オン信号）の停止とほぼ同時に出力される。つまり、パワーＭＯＳＦＥＴ２０１のオフタイミングとほぼ同じタイミングでトランジスタ３０１をオンする。
【００２６】
これにより、ＬＥＤ５０が、ＩＰＤ２０による点灯に引き続いてプルアップ回路３０によりオンされて点灯する。なお、この場合のＬＥＤ５０への電流Ｉｏｕｔは、ＩＰＤ２０によるＬＥＤ５０への駆動電流Ｉｌｏａｄより小さいが、ＬＥＤ５０の照明には寄与する。又、この場合照明のための目標デューティー比は（ｔ１＋ｔ２）／ｔ３となる。
又、前記消灯指令Ｓｏｆｆが与えられると、出力端子４０ａの出力を「Ｌ」レベル（オフ信号）とすると共に、出力端子４０ｂの出力を「Ｌ」レベル（オフ信号）とする。これによってＬＥＤ５０が消灯される。
【００２７】
ここで、前記判定手段４０２は、上述のＬＥＤ５０の点灯中において、図３に示すように異常判定制御を実行する。ステップＳ１０では、入力端子４０ｃに入力される信号Ｃが「Ｈ」レベル（異常検知レベルの電圧）であるか否かを判断する。「Ｈ」レベルでなければ、ステップＳ２０で正常と判断する。
ステップＳ１０で、「Ｈ」レベルであると判断された場合において、ＭＰＵ４０自身が出力端子４０ａから出力している信号Ｂが「Ｌ」レベルであって（ステップＳ３０の「ＮＯ」）、信号Ａが「Ｈ」レベルである（ステップＳ４０の「ＹＥＳ」）と判断されると、負荷接続端子１０ａからＬＥＤ５０までの通電路に断線が発生したと判断する（ステップＳ５０）。つまり、判定手段４０２は、前記異常検出部２２の出力が異常検知レベルの信号であって且つ前記パワーＭＯＳＦＥＴ２０１に対してオフ信号を出力し且つ前記トランジスタ３０１に対してオン信号を出力した状態であることをもって断線を判定する。
【００２８】
この断線判定の趣旨は、次にある。
パワーＭＯＳＦＥＴ２０１がオフであるときに、断線が発生していない状況で、プルアップ回路３０のトランジスタ３０１をオンすると、このプルアップ回路３０のプルアップ抵抗３０２に応じた小電流（図２の符号Ｉａ部分）がＬＥＤ５０側へ流れるのみで、異常検出部２０２は異常検知レベル（図４の信号Ｃの「Ｈ」レベル）の電圧より低い電圧の信号Ｃを出力する。
【００２９】
次に、パワーＭＯＳＦＥＴ２０１がオフであるときに、断線が発生している状況で、プルアップ回路３０のトランジスタ３０１をオンすると、負荷接続端子１０ａの電位が浮いて不定となるが、この不定電圧（図２の符号Ｄ´参照）にプルアップ電圧が重畳され、当該負荷接続端子１０ａの電位が上昇し、異常検出部２０２が異常検知レベルの信号Ｃを出力することになる。この結果、判定手段４０２は、パワーＭＯＳＦＥＴ２０１がオフで且つ前記トランジスタ３０１がオン、及び異常検出部２０２の信号Ｃが前記異常検知レベルとなるといった条件を満足するため、断線有りと判定する。
【００３０】
又、前記ステップＳ１０で、「Ｈ」レベルであると判断された場合において、ＭＰＵ４自身が出力端子４０ａから出力している信号Ｂが「Ｌ」レベルであって（ステップＳ３０の「ＮＯ」）、信号Ａが「Ｌ」レベルである（ステップＳ４０の「ＮＯ」）と判断されると、ＬＥＤ５０に対して天絡が発生したと判断する（ステップＳ６０）。
この天絡発生の趣旨は次にある。
パワーＭＯＳＦＥＴ２０１がオフであって、プルアップ回路３０のトランジスタ３０１もオフであるときに、天絡が発生していない状況であるとすると、異常検出部２０２は、異常検知レベルの電圧より低い電圧の信号Ｃを出力する。
【００３１】
次に、パワーＭＯＳＦＥＴ２０１がオフであって、プルアップ回路３０のトランジスタ３０１もオフであるときに、天絡が発生していると状況であるとすると、この天絡によって負荷接続端子１０ａが「Ｈ」であるため、異常検出部２０２は異常検知レベルの電圧の信号Ｃを出力する。この結果、判定手段４０２は、パワーＭＯＳＦＥＴ２０１がオフで且つ前記トランジスタ３０１もオフで異常検出部２０２の出力が前記異常検知レベルの信号Ｃであるといった条件を満足するため、天絡有りと判定することになる。
【００３２】
又、ステップＳ１０で信号Ｃが「Ｈ」レベルであると判断され、ステップＳ３０で信号Ｂが「Ｈ」レベルであると判断されると、ステップＳ７０で過負荷が発生していると判断する。
このように本実施形態によれば、プルアップ回路３０を設けて、パワーＭＯＳＦＥＴ２０１のオフ時に、当該プルアップ回路３０のトランジスタ３０１をオンさせることで、断線が発生している場合に確実に当該断線有りを判定することができる。又、上述したように、天絡も確実に判定できる。
【００３３】
さらに、本実施形態によれば、本来の照明などのためにＬＥＤ５０を点灯させるときに、断線及び天絡の有無の判定を行うから、断線が無い場合にプルアップ回路３０によってＬＥＤ５０が点灯されたとしてももともとＬＥＤ５０による照明時であるから、ユーザーが違和感を抱くことはない。
又、本実施形態によれば、判定手段４０２が、さらに、パワーＭＯＳＦＥＴ２０１がオンであって異常検出部２０２の出力が異常検知レベルの信号であるときに過負荷状態であることを判定するから、断線、天絡の他、過負荷状態も検出することができる。
【００３４】
又、本実施形態によれば、点灯制御手段４０１が、パワーＭＯＳＦＥＴ２０１のオフタイミングとほぼ同じタイミングでトランジスタ３０１をオンするから、ＩＰＤ２０によるＬＥＤ５０の点灯後、当該ＬＥＤ５０をオフすることなく継続点灯できる。もってＬＥＤ５０のオンオフ回数を少なくできる。
又、本実施形態によれば、駆動用スイッチング素子及び異常検出部を備えたＬＥＤ駆動回路を、ＩＰＤ２０から構成したから、断線、天絡さらに過負荷の判定を、プルアップ回路３０を追加する程度の簡単な構成で、実現できる。
【００３５】
又、図１の回路構成において、消灯指令Ｓｏｆｆを受けている状態で（ＬＥＤ５０を消灯した状態で）、断線の有無を自動的に判定することが考えられる。この場合、図７に示すように、断線判定期間ｔｄにおいて、プルアップ回路３０のトランジスタ３０１をオンすると（信号Ａを「Ｈ」レベルとすると）、断線が発生していない状況では、このプルアップ回路３０を通してＬＥＤ５０に連続して電流が流れ（電位Ｄがプルアップ電位となる）、ＬＥＤ５０が、照度は低いものの、ユーザーの意図しない状態で点灯してしまう。
【００３６】
これに対して、本実施形態によれば、ユーザーによる点灯操作や暗さ自動検出などに基づく点灯指令ＳｏｎによってＬＥＤ５０をパルス点灯している状況で、断線の有無を判定するから、断線が発生しておらずにプルアップ回路３０のオンタイミングでＬＥＤ５０が点灯しても、ＬＥＤ５０がもともと点灯される状況であるから、ユーザーが、プルアップ回路３０オンによるＬＥＤ５０点灯に気付くこともなく、違和感を抱くこともない。
なお、前記断線、天絡及び過負荷を判定した場合には、これらを適宜報知（表示や音声出力）すると良い。
本発明は、上述の実施形態に何ら限定されるものではなく、要旨を逸脱しない範囲で種々の変更が可能である。
【符号の説明】
【００３７】
図面中、１０はＬＥＤ異常検出装置、１０ａは負荷接続端子、２０はＩＰＤ（ＬＥＤ駆動回路）、２０１はパワーＭＯＳＦＥＴ（駆動用スイッチング素子）、２０２は異常検出部、３０はプルアップ回路、３０１はトランジスタ（プルアップ用スイッチング素子）、４０はＭＰＵ、４０１は点灯制御手段、４０２は判定手段、５０はＬＥＤを示す。
【図１】
2014216765.tif 000003
【図２】
2014216765.tif 000004
【図３】
2014216765.tif 000005
【図４】
2014216765.tif 000006
【図５】
2014216765.tif 000007
【図６】
2014216765.tif 000008
【図７】
2014216765.tif 000009